(57)【要約】【課題】器具本体に枠部が容易に取り付けできる照明器具を提供する。【解決手段】本発明における照明器具は、器具本体部１００と枠部２００とからなる照明装置１であり、枠部２００は挿込爪部３００とラッチ部２００により器具本体部１００に固定されるとともに、器具本体部１００にはラッチ部２００が嵌入される切込部１３４が形成されていることで、枠部２００が器具本体部１００に容易に取り付けできる照明器具１を提供することができる。【選択図】図２
2016085878.tif 000002
【特許請求の範囲】
【請求項１】
被取付部に取り付けられる上面部、前記上面部から略垂直に形成された側面部を有する器具本体部と、
前記器具本体部の外縁を囲む枠本体部を有し、前記上面部と対面するように押し込まれる枠部とを備え、
前記器具本体部は、前記側面部のうち少なくとも一面に、被取付部の反対側に開口を有した傾斜部と前記傾斜部の端部と連通する平行部とからなる切込部が形成されており、
前記枠部は、前記側面部に当面する面より前記切込部と交差するよう突出したピン部、前記ピン部を加圧するバネ部を有する可動ピン部が配設されるとともに、前記ピン部が前記開口より挿入され前記傾斜部を摺動し、前記バネ部により前記平行部の端部側へ加圧され、前記器具本体部に取り付けられることを特徴とする照明器具。
【請求項２】
前記器具本体部は、前記切込部を前記側面部に対称になるように２つ形成しており、
前記枠部は、前記可動ピン部が前記枠本体部の一側辺側に対になるように配設されていることを特徴とする請求項１に記載の照明器具。
【請求項３】
対になる前記可動ピン部は、それぞれの前記バネ部が互いに反対方向へ加圧するように、前記枠部に配設されていることを特徴とする請求項１または請求項２のいずれかに記載の照明器具。
【請求項４】
前記ピン部は突出する方向に対して略垂直方向に保持部が形成されており、前記保持部に前記バネ部が取り付けられることを特徴とする請求項１から請求項３のいずれかに記載の照明器具。
【請求項５】
前記傾斜部は前記開口より被取付部方向へ斜めに形成され、前記平行部は前記傾斜部の前記開口と反対側端部より被取付部と平行に前記開口方向へ形成されていることを特徴とする請求項１から請求項４のいずれかに記載の照明器具。
【請求項６】
２つの前記切込部は、前記傾斜部が互いに近づくように斜めに形成されていることを特徴とする請求項２から請求項５のいずれかに記載の照明器具。
【請求項７】
２つの前記切込部は、前記傾斜部が互いに離れるように斜めに形成されていることを特徴とする請求項２から請求項５のいずれかに記載の照明器具。
【請求項８】
前記器具本体部は前記側面部のうち前記切込部が形成された面と対向する一面に引掛受部が形成されており、
前記枠部は前記枠本体部の前記可動ピンが配設されている側辺側と対向する側辺側に前記引掛受部に係止する引掛部が配設されており、
前記枠部が、前記引掛部が前記引掛受部に係止した箇所を回転の軸として前記器具本体部に回動することを特徴とする請求項１から請求項７に記載の照明器具。
【請求項９】
被取付部に取り付けられる上面部、前記上面部から略垂直に形成された側面部を有する器具本体部と、
前記器具本体部の外縁を囲む枠本体部を有し、前記上面部と対面するように押し込まれる枠部とを備え、
前記器具本体部は、前記側面部のうち少なくとも一面に、前記側面部より略垂直に突出したピン部、前記ピン部を加圧するバネ部を有する可動ピン部が配設され、
前記枠部は、前記側面部に当面する面に、前記器具本体部側に開口を有した傾斜部と前記傾斜部の端部と連通する平行部とからなり前記ピン部と交差する切込部が形成されているとともに、前記ピン部が前記開口より挿入され前記傾斜部を摺動し、前記バネ部により前記平行部の端部側へ加圧され、前記器具本体部に取り付けられることを特徴とする照明器具。
【発明の詳細な説明】
【技術分野】
【０００１】
本発明は、天井等の被取付部に取り付けられる照明器具に関するものである。
【背景技術】
【０００２】
従来の照明器具において、天井などの被取付部に器具本体を取り付けた後に、特定の固定手段を用いて枠体を器具本体に取り付けしているものがある。
例えば、固定手段にＶ形状をしたバネ部材（以下、Ｖバネ）を用いた照明器具がある。この照明器具は、器具本体内側にＶバネ受部が設けられ、枠体にＶバネが設けられており、ＶバネをＶバネ受部に係止させて、枠体を器具本体に固定している（例えば、特許文献１）。
【０００３】
また、固定手段として嵌合部と固着部を備えた照明器具がある。この照明器具は、器具本体と枠体のそれぞれ一側辺が嵌まり合い嵌合部を形成するとともに、嵌合部が回動の軸として枠体が回動し、器具本体に収まったのちに、固着部としてネジが枠体を挟みながら器具本体に螺合し、枠体は器具本体に固定される（例えば、特許文献２）。
【先行技術文献】
【特許文献】
【０００４】
【特許文献１】特開２０１２−１４６４９３号公報
【特許文献２】特開２０１０−１３５２３３号公報
【発明の概要】
【発明が解決しようとする課題】
【０００５】
しかしながら、特許文献１に記載された照明器具はＶバネ受部が器具本体の内側に備えられている為、作業者は、Ｖ形状を閉じるようにVバネを押圧させた状態で、器具本体内側のＶバネ受部に係止させなくてはならず、作業性に難点がある。
【０００６】
また、特許文献２の照明器具は、固着部としてのネジが、照明器具の照射側に設けられており、ネジを固定する為に特定の治具を必要とし、容易に取り付けることができない。
【０００７】
そこで、本発明は、上記のような課題を解決するためになされたものであり、器具本体に枠部が容易に取り付けできる照明器具を提供することを目的とする。
【課題を解決するための手段】
【０００８】
本発明における照明器具は、被取付部に取り付けられる上面部、前記上面部から略垂直に形成された側面部を有する器具本体部と、前記器具本体部の外縁を囲む枠本体部を有し、前記上面部と対面するように押し込まれる枠部とを備えており、前記器具本体部は、前記側面部のうち少なくとも一面に、被取付部の反対側に開口を有した傾斜部と前記傾斜部の端部と連通する平行部とからなる切込部が形成されており、前記枠部は、前記側面部に当面する面より前記切込部と交差するよう突出したピン部、前記ピン部を押圧するバネ部を有する可動ピン部が配設されるとともに、前記ピン部が前記開口より挿入され前記傾斜部を摺動し、前記バネ部により前記平行部の端部側へ押圧され、前記器具本体部に取り付けられる、ことを特徴とするものである。
【発明の効果】
【０００９】
本発明は、器具本体部に枠部を容易に取り付けできる照明器具を提供することができる。
【図面の簡単な説明】
【００１０】
【図１】実施の形態１における照明器具の斜視図である。
【図２】実施の形態１における照明器具の分解斜視図である。
【図３】実施の形態１における第一の側面部の側面図である。
【図４】実施の形態１における第二の側面部の側面図である。
【図５】実施の形態１における枠部の斜視図である。
【図６】実施の形態１における図５に示すＡ部詳細図である。
【図７】実施の形態１における図５に示すＢ部詳細図である。
【図８】実施の形態１における第二の傾斜枠部の側面図である。
【図９】実施の形態１におけるラッチ部の分解斜視図である。
【図１０】実施の形態１におけるラッチ部の組立工程図である。
【図１１】実施の形態１における枠部の取付工程図である。
【図１２】実施の形態１における嵌入ピン部の取付工程図である。
【図１３】実施の形態２における照明器具の分解斜視図。
【図１４】実施の形態２における枠部の斜視図である。
【図１５】実施の形態３における照明器具の分解斜視図である。
【図１６】実施の形態４における照明器具の分解斜視図である。
【発明を実施するための形態】
【００１１】
実施の形態１.
実施の形態１では、天井などの被取付部（以下、被取付部として天井を例に説明するが天井に限定されない）に取り付けられる照明器具１について説明する。
なお以下の説明において、便宜上、天井面側（被取付面側）を上側とし、床面側（被取付面と反対側）を下側として説明をおこなう。
【００１２】
図１は本実施の形態における照明器具１の斜視図であり、図２は図１に示す照明器具１の分解斜視図であり、図３は図２に示す第一の側面部１３１の側面図であり、図４は図２に示す第二の側面部１３２の側面図であり、図５は図２に示す枠部の斜視図であり、図６は図５に示すＡ部の詳細図であり、図６の（ａ）はＡ部の拡大詳細図であり、図６の（ｂ）は図６の（ａ）におけるC−断面図であり、図７は図５に示すＢ部の詳細図であり、図７の(ａ)はＢ部の拡大詳細図であり、図７の（ｂ）は図７の（ａ）におけるＤ矢視図であり、図８は図５に示す第二の傾斜枠部２２０ｂの側面図であり、図9は図７に示すラッチ部４００の分解斜視図である。
【００１３】
はじめに、照明器具１の各部の構成を説明する。
照明器具１は、被取付部（例えば天井など）に当接し固定される器具本体部１００と、器具本体部１００に着脱可動に取り付けられている枠部２００とを備えている。
【００１４】
器具本体部１００は、被取付部に固定されるとともに、照明器具1の光源となる光源部１０と、光源部１０へ電力を供給し点灯させる電源部２０、端子台３０とを備えている。また、枠部２００は電源部２０、端子台３０を覆うように器具本体部１００に取り付けられる。
【００１５】
器具本体部１００は、略箱形状をしており、上側に配置され被取付部に取り付けられる上面部１１０と、上面部１１０と対向する下側には一面が開口した開口部１２０と、側面部１３０とから構成されている。
【００１６】
上面部１１０には、締付孔１１１と、電線引込孔１１２が形成されている。締付孔１１１には、被取付部に配設されているボルト等の固定材（図示なし）が挿入され、この固定材によって器具本体部１００が被取付部と締結される。
電源引込孔１１２は、商用電源と端子台３０とを接続する電線を引き込むためのものである。
なお、上面部１１０には、他にも、光源部２０を固定するための光源固定孔、電源部３０を固定するための電源固定孔、端子台４０を固定するための端子台固定孔等が形成されている。
【００１７】
開口部１２０は、上面部１１０と対向した位置に形成されており、上面部１１０と略同じ大きさで形成されている。
【００１８】
側面部１３０は上面部１１０の周部より開口部１２０方向に形成されており、枠部２００を保持する為の開口が形成された第一の側面部１３１、第二の側面部１３２を備えている。
第一の側面部１３１は引掛開口部１３３（または引掛受部）が形成されており、第一の側面部１３１と対向する第二の側面部１３２にはスライド切込部１３４（または切込部）が形成されている。
【００１９】
引掛開口部１３３は、第一の側面部１３１に配設されており、略四角形状をした開口である。また、引掛開口部１３３は第一の側面部１３１の長手中心を軸として対称の位置に対になるように２つ形成されている。
【００２０】
スライド切込部１３４は第二の側面部１３２の長手中心を軸として対称の位置に対になるように配設されており、傾斜スライド部１３４ａ（または傾斜部）と平行スライド部１３４ｂ（または平行部）から構成されている。
【００２１】
傾斜スライド部１３４ａは、第二の側面部１３２の下側側辺に形成されたスライド挿入部１３４ｃより上側方向へ斜めに形成されており、上側にいくにつれ、対となる他方の傾斜スライド部１３４ａと離れるように傾斜している。
【００２２】
平行スライド部１３４ｂは、傾斜スライド部１３４ａの上側端部より第二の側面部１３２の長手側辺と平行に形成されており、対となる他方の平行スライド部１３４ｂとは傾斜スライド部１３４ａ上側端部から近づくよう形成されている。
また、平行スライド部１３４ｂの傾斜スライド１３４ａと反対の端部には、下側方向に窪んだスライド溝部１３４ｄが形成されている。
【００２３】
光源部１０は、ＬＥＤとＬＥＤを実装する基板とからなるＬＥＤユニット（図示しない）と、ＬＥＤユニットが取り付けられる光源保持部（図示しない）と、光源保持部にＬＥＤユニットを覆うように取り付けられる光源カバー部１１を有しており、電源部２０からの電力供給により点灯をする。
【００２４】
電源部２０は、端子台３０を介して商用電源からの電力を光源部１０に供給し、光源部１０のＬＥＤを点灯させる。電源部２０は、略直方体形状をしており、前述した電源取付孔を介して、ねじにより本体ケース１０に取り付けられている。
【００２５】
端子台４０は、商用電源から供給される電力を電源部３０へ供給する。
【００２６】
枠部２００は、ロの字形状に形成された外枠部２１０（または枠本体部）と、外枠部２１０のロの字形状内側に配設される反射部２０１と、枠部２００を器具本体部１００に固定する為の固定手段（挿込爪部３００、ラッチ部４００）とを備えている。
【００２７】
外枠部２１０は、斜め方向に傾斜した側面を有する傾斜枠部２２０と、傾斜枠部２２０に対して略垂直に配置され反射部２０１を保持する横枠部２３０とを備えている。
また、傾斜枠部２２０と横枠部２３０は、それぞれ対向する位置に対となる傾斜枠部２２０と横枠部２３０が配置されロの字形状を形成している
【００２８】
傾斜枠部２２０は、断面がコの字状に形成されており、対となる傾斜枠部２２０と向かい合う側面同士が、上側になるにつれ互いに近づくように傾斜する傾斜側面部２２１と、枠部２００の外側に面する位置に配設された外側面部２２２とを備えている。
【００２９】
対になる傾斜枠部２２０は、枠部２００を器具本体部１００に固定する為の固定手段として、器具本体部１００の引掛開口部１３３に挿し込みされる挿込爪部３００（または引掛部）と、器具本体部１００のスライド切込部１３４に嵌入されるラッチ部４００（または可動ピン部）を備えている。
なお、対になる傾斜枠部２２０のうち、挿込爪部３００を備えているものを第一の傾斜枠部２２０ａ、ラッチ部４００を備えているものを第二の傾斜枠部２２０ｂとする。
【００３０】
また、ラッチ部４００が固定される第二の傾斜枠部２２０ｂの外側面部２２２にはラッチ取付切欠部２２３が形成されている。
ラッチ取付切欠部２２３は、外側面部２２２の長手中心を軸として対称となるように形成されており、挿込切欠部２２３ａと水平切欠部２２３ｂから構成されている。
挿込切欠部２２３ａは外側面部２２２の上側より下側に垂直に形成されたものである。水平切欠部２２３ｂは挿込切欠部２２３ａの端部より長手中心方向へ水平に形成され、対となる他方の水平切欠部２２３ａとは近づくように形成されている。
【００３１】
挿込爪部３００は、第一の傾斜側面部２２０ａの外側面部２２３内側に配設されており、外側面部２２３の長手中心を軸として対称に２つ固定されている。
また、２つの挿込爪部３００の配置間隔は、第一の側面部１３１に形成された２つの引掛開口部１３３の配置間隔と同じになる。
【００３２】
挿込爪部３００は、外枠部２１０に当接し固定される爪取付面部３１０と、爪取付面部３１０から上側斜め方向へ広角になるように形成された爪傾斜部３２０と、爪傾斜部３２０の爪取付面部３１０に対向する側辺より下側へ形成された爪引掛部３３０とを有している。
【００３３】
ラッチ部４００は、器具本体部１００のスライド切込部１３４に嵌入される十字ピン部４１０と、十字ピン部４１０を傾斜枠部２２０に固定するラッチ保持部４２０と、十字ピン部４１０の摺動制御するバネ部４３０と、から構成されている。
【００３４】
十字ピン部４１０は、スライド切込部１３４に嵌入される嵌入ピン部４１１（またはピン部）に、ラッチ保持部４２０と連結する為の保持ピン部４１２（または保持部）が嵌入ピン部４１１の両側から十字状に形成されている。
また、嵌入ピン部４１１の一方に、表面に凹凸を有し略楕円形状をしたピン操作部４１３が形成されている。
【００３５】
ラッチ保持部４２０は、一面が開口した略箱形状しており、開口に対向する面には長孔形状をしたラッチ用長孔部４２１が形成されており、ラッチ用長孔部４２１の長手方向に配設された両側面には、それぞれ丸孔形状をしたラッチ保持孔部４２２が形成されている。
また、ラッチ保持部４２０の開口周部の短手側辺に、ラッチ保持部４２０を外側面部２２２に固定する為のラッチ取付片部４２３が形成されている。
また、向かい合うラッチ保持孔部４２２が形成されている側面の距離（Ａ寸法）は、ラッチ保持部４２０の嵌入ピン部４１１の両側に形成された保持ピン部４１２の端部の距離（Ｂ寸法）より短くなるように形成されている。
【００３６】
バネ部４３０は、コイル状に形成された弾性部材であり、保持ピン部４１２に挿し込まれ、十字ピン部４１０の動作制御をするものである。
【００３７】
横枠部２３０は、断面がコの字状に形成されており、枠部２００のロの字形状内側に当面する側面と、向かい合う他方の横枠部２３０の側面により、反射部２３０が固定される。
【００３８】
反射部２３０は断面が略山形であり、向かい合う傾斜枠部２２０の間に配置され、対になる横枠部２３０に固定されている。
また、傾斜枠部２２０と反射部２３０の間には、枠部２００を器具本体部１００に取り付けしたときに、光源部２０が嵌まり込む開口部が形成されている。
【００３９】
つぎに、ラッチ部４００の組立工程に関して説明を行う。
図１０は本実施形態におけるラッチ部４００の組立工程図であり、図１０の（ａ）はラッチ部４００が分解された状態であり、図１０の（ｂ）は図１０の（ａ）に示す十字ピン部４１０にバネ部４３０が嵌め込まれた状態であり、図１０の（ｃ）は図１０の（ｂ）に示す十字ピン部４１０がバネ部４３０を押圧しピン保持部４２０に挿し込まれた状態であり、図１０の（ｄ）は図１０の（ｃ）に示すバネ部４３０の押圧が解除されたラッチ部４００が組み立てられた状態であり、図１０の（ｅ）は図１０の（ｄ）に示すラッチ部４００がラッチ取付切欠部２２３に挿し込まれる前の状態であり、図１０の（ｆ）は図１０の（ｅ）に示すラッチ部４００がラッチ取付切欠部２２３に取り付けられた状態である。
【００４０】
はじめに、ラッチ部４００の十字ピン部４１０にバネ部４３０を取り付けする。
十字ピン部４１０は、嵌入ピン部４１１と十字状に交差するように形成された保持ピン部４１２のうち、片方にバネ部４３０を取り付ける。
【００４１】
次に、バネ部４３０が取り付けられた十字ピン部４１０をピン保持部４２０に挿入する。
十字ピン部４１０は、嵌入ピン部４１１が嵌入用長孔部４２１より突出するように、バネ部４３０が取り付けられた保持ピン部４１２からラッチ保持孔部４２２に挿し込む。
このとき、対になる保持ピン部４１２の両端の長さであるＢ寸法は、向かい合うピン保持孔部４２２の長さであるＡ寸法よりも長く形成されている。
その為、他方の保持ピン部４１２が他方のラッチ保持孔部４２２に挿入が可能になるまで、バネ部４３０が取り付けられた保持ピン４１２を、バネ部４３０を押圧しながら、ラッチ保持孔部４２２に挿入する。
【００４２】
次に、バネ部４３０の押圧状態を解除し、十字ピン部４１０をピン保持部４２０に固定する。
他方の保持ピン部４１２が他方のラッチ保持孔部４２２に挿入が可能な状態になったら、バネ部４３０の押圧状態の解除を行うことで、他方の保持ピン部４１２は他方のラッチ保持孔部４２２に挿入される。
このとき、十字ピン部４１０は、バネ部４３０により押圧され、嵌入ピン４１１が嵌入用長孔部４２１のバネ部４３０と反対側の端部側に配置され、ラッチ部４００は組み立てられる。
【００４３】
次に、組み立てられたラッチ部４００を第二の傾斜枠部２２０ｂに取り付けする。
組み立てられたラッチ部４００は、保持ピン部４１２とピン操作部４１３の間をラッチ取付切欠部２２３の挿込切欠部２２３ａから挿入し、水平切欠部２２３ｂに配設されラッチ部４００は第二の傾斜枠部２２０ｂに固定される。
このとき、ピン操作部４１３は、水平切欠部２２３ｂの外側面部２２３長手中央側に配置される。
【００４４】
つぎに、枠部２００の器具本体部１００への取付工程に関して説明を行う。
図１１は本実施形態における枠部２００を器具本体部１００に取り付けをする取付工程図であり、図１１の（ａ）は器具本体部１００と枠部２００が別々の状態であり、図１１の（ｂ）は枠部２００の挿込爪部３００を器具本体１００の引掛開口部１３３に係止した状態であり、図１１の（ｃ）は挿込爪部３００が引掛開口部１３３に係止された箇所を軸として枠部２００を器具本体部１００に回動させた状態であり、図１１の（ｄ）は枠部２００が器具本体部１００に固定された状態である。
【００４５】
はじめに、枠部２００に配設された挿込爪部３００の爪引掛部３３０を器具本体部１００に形成された引掛開口部１３３に係止する。
【００４６】
次に、引掛開口部１３３に係止された爪引掛部３３０を回転の軸として、枠部２００を器具本体部１００方向へ回転させるように押し上げる。
このとき、枠部２００に設けられたラッチ部４００の嵌入ピン部４１１が、器具本体部１００に設けられたスライド切込部１３４にスライド挿入部１３４ｃから挿入される。
【００４７】
枠部２００は、嵌入ピン部４１１が平行スライド部１３４ｂに達するまで押し上げられ、器具本体部１００の所定の位置に配設される。
このとき、嵌入ピン部４１１がバネ部４３０により平行スライド部１３４ｂの他方端部へ押圧され、枠部２００が器具本体部１００に固定される。
【００４８】
つぎに、嵌入ピン部４１１のスライド切込部１３４への嵌入工程に関して説明を行う。
図１２は本実施形態における嵌入ピン部４１１をスライド切込部１３４に嵌入される工程図であり、図１２の（ａ）は嵌入ピン部４１１がスライド切込部１３４に挿入される前の状態であり、図１２の（ｂ）は嵌入ピン部４１１が傾斜スライド部を摺動（している）状態であり、図１２の（ｃ）は嵌入ピン部４１１が平行スライド部に（到達）した状態であり、図１２の（ｄ）は嵌入ピン部４１１が平行スライド部の他端側に押圧された状態である。
【００４９】
はじめに、枠部２００が器具本体部１００方向へ押し上げられることにより、嵌入ピン部４１１はスライド切込部１３４にスライド挿入部１３４ｃから挿入される。
【００５０】
次に、嵌入ピン４１１は、枠部２００が押し上げられる力により、バネ部４３０を押圧しながら傾斜スライド部１３４ａを摺動する。
また、ラッチ部４００のピン操作部４１３を水平切欠部２２３ｂに沿って、外側面部２２２長手中心と反対方向へ移動させる。
このとき、嵌入ピン部４１１は、枠部２００を器具本体部１００方向へ押し上げることによる摺動と、ピン操作部４１３の操作により、傾斜スライド部１３４ａを円滑に移動する。なお、バネ部４３０は、嵌入ピン部４１１が傾斜スライド部１３４ａを摺動するとともにバネ部４３０を押圧しているので、ピン操作部４１３は操作する力を軽減されている。
【００５１】
嵌入ピン部４１１は、傾斜スライド部１３４ａ摺動し平行スライド部１３４ｂに達すると、押圧されたバネ部４３０の復元力により、平行スライド部１３４ｂの他方端部へ押圧され、嵌入ピン部４１１がスライド溝部１３４ｄに嵌り込み、枠部２００は器具本体部１００に固定される。
なお、対になるラッチ部４００は、それぞれバネ部４３０が保持ピン部４１２の左右反対側になるよう配設されている。
よって、対になるラッチ部４００の嵌入ピン部４１１は、それぞれ反対方向にバネ部４３０に押圧され器具本体部１００に嵌入しており、振動などが発生しても嵌入ピン部４１１のどちらか一方が振動に対向する方向へバネ部４３０に押圧されており、枠部２００が外れるのを抑制している。
【００５２】
次に、枠部２００の器具本体部１００から取り外し工程に関して説明を行う。
枠部２００の器具本体部１００からの取り外し工程は、取付工程の逆の手順となる。
はじめに、ピン制御部４１１を操作し、バネ部４３０を押圧しながら、嵌入ピン部４１１が平行スライド部１３４ｂに沿って傾斜スライド部１３４ａまで移動させる。
嵌入ピン部４１１が傾斜スライド部１３４ａまで移動することで、枠部２００は器具本体部１００との固定は解除され、下側への回動が可能になる。
枠部２００の下側への回動に伴い、嵌入ピン部４１１が傾斜スライド部１３４ａを摺動しスライド挿入部１３４ｃから外れる。
嵌入ピン部４１１がスライド挿入部１３４ｃから外れることで、引掛開口部１３３と挿込爪部３００の係止が解除可能となり、枠部２００は器具本体部１００から取り外される。
【００５３】
本実施の形態は、器具本体部１００と枠部２００とからなる照明器具１であり、器具本体部１００が引掛開口部１３３とスライド切込部１３４を有しており、枠部２００は挿込爪部３００とラッチ部２００を有しており、引掛開口部１３３と挿込爪部３００が係止するととともに、枠部２００は係止された箇所を回転の軸として器具本体部１００へ回動し、スライド切込部１３４にラッチ部４００が嵌入されることで、容易に枠部２００を器具本体部１００に固定することができる。
【００５４】
また、本実施の形態において、対になるラッチ部４００は、十字ピン部４１０がそれぞれスライド切込部１３４の平行スライド部１３４ｂに沿って左右反対方向へ移動することにより、対になるバネ部４３０のそれぞれが左右反対方向へ押圧している。
よって、振動などが発生しても、すくなくともどちらか一方のラッチ部４００のバネ部４３０が、器具本体部１００を押圧している状態を保持し、器具本体部１００から枠体２０が外れる事を防止している。
【００５５】
また、本実施の形態において、枠部２００は器具本体部１００方向へ押し上げられることで、嵌入ピン部４１１がスライド切込部１３４の傾斜スライド１３４ａを摺動し、ラッチ部４００のピン操作部４１３を操作する力を緩和している。
【００５６】
なお、本実施の形態では、スライド切込部１３４は対となる傾斜スライド部１３４ａが互いに近づくように傾斜し、対となる平行スライド部１３４ｂが互いに離れるように形成されている形状について説明したが、傾斜スライド部１３４ａ´が互いに離れるように傾斜し、対となる平行スライド部１３４ｂ´が互いに近づくように形成されているものでもよい。
【００５７】
なお、本実施の形態ではピン操作部４１３は楕円形状をしたものを説明したが、嵌入ピン４１１の動作を操作できる形状であればよく、ラッチ取付切欠部２２３から突出するようなものでも良い。
【００５８】
なお、本実施の形態では、挿込爪部３００と引掛開口部１３３に係止し、係止した箇所を軸として枠部２００が器具本体部１００に固定される形状を説明したが、枠部と器具本体部のそれぞれの側面のうち一面が互いに嵌合し、回動するようなものでも良い。
【００５９】
実施の形態２．
本実施の形態２では、実施の形態１では枠部２００が器具本体部１００に回動し固定される照明器具１について説明を行ったが、本実施の形態では、枠部６００が器具本体部５００に正対した状態で押し込まれ取り付けられ照明器具１０００について説明を行う。
なお、実施の形態１と同様の構成は実施の形態１と同じ符号を付し、詳細な説明を省略し異なる構成について説明をする。
図１２は、本実施の形態２における照明器具１０００の分解斜視図であり、図１３は図１２に示す枠部６００の斜視図である。
【００６０】
はじめに、照明器具１０００の各部の構成を説明する。
照明器具１０００は、被取付部（例えば天井など）に当接し固定される器具本体部５００と、器具本体部５００に着脱可動に取り付けられている枠部６００とを備えている。
【００６１】
器具本体部５００は、被取付部に固定されるとともに、照明器具1の光源となる光源部１０と、光源部１０へ電力を供給し点灯させる電源部２０、端子台３０とを備えている。
また、枠部６００は電源部２０、端子台３０を覆うように器具本体部５００に取り付けられている。
【００６２】
器具本体部５００は、略箱形状をしており、上側に配置され被取付部に取り付けられる上面部１１０と、上面部１１０と対向する下側には一面が開口した開口部１２０と、側面部５１０とから構成されている。
【００６３】
側面部５１０は、上面部１１０の周部より開口部１２０方向に形成されている。
また、側面部５１０のうち光源部１０の長手側面と対向する両側面には、枠部６００を保持する為のスライド切込部１３４が形成された取付側面部５１１が配置されている。
【００６４】
スライド切込部１３４は、傾斜スライド部１３４ａと平行スライド部１３４ｂからなり、取付側面部５１１の長手中心を軸として対になるよう対称に２つ形成されている。
【００６５】
傾斜スライド部１３４ａは、取付側面部５１１の下側側辺に形成されたスライド挿入部１３４ｃより上側方向へ斜めに形成されており、上側にいくに連れ、対となる他方の傾斜スライド部１３４ａと離れるように傾斜している。
【００６６】
平行スライド部１３４ｂは、傾斜スライド部１３４ａの上側端部より第二の側面部１３２の長手側辺と平行に形成されており、対となる他方の平行スライド部１３４ｂとは傾斜スライド部１３４ａ上側端部から近づくよう形成されている。
また、平行スライド部１３４ｂの傾斜スライド１３４ａと反対の端部には、下側方向に窪んだスライド溝部１３４ｄが形成されている。
【００６７】
枠部６００は、ロの字形状に形成された外枠部６１０と、外枠部６１０のロの字形状内側に配設される反射部２０１と、枠部６００を器具本体部５００に固定する為の固定手段とを備えている。
【００６８】
外枠部６１０は、斜め方向に傾斜した側面を有する傾斜枠部６２０と、傾斜枠部６２０に対して略垂直に配置され反射部２０１を保持する横枠部２３０とを備えている。
また、傾斜枠部６２０と横枠部２３０は、それぞれ対向する位置に、対となる傾斜枠部６２０と横枠部２３０が配置されロの字形状を形成している
【００６９】
傾斜枠部６２０は、断面がコの字状に形成されており、ロの字形状内側に面する傾斜側面部６２１と、枠部６００の外側に面する位置に配設された外側面部６２２とを備えている。
また、傾斜枠部６２０には、枠部６００を器具本体部１００に固定する為のラッチ部４００が配設されており、外側面部６２２にはラッチ部４００を保持する為のラッチ取付切欠部２２３が形成されている。
なお、傾斜枠部６２０には、ラッチ取付切欠部２２３が外側面部６２２に外側面部６２２の長手中心を軸として対になるよう対称に２つ形成されており、それぞれにラッチ部４００が対になるよう配設されている。
【００７０】
ラッチ部４００は、器具本体部６００のスライド切込部１３４に嵌入される十字ピン部４１０と、十字ピン部４１０を傾斜枠部６２０に固定するラッチ保持部４２０と、十字ピン４１０の摺動制御するバネ部４３０と、から構成されている。
なお、対になるラッチ部４００は、それぞれのバネ部４３０が保持ピン部４１２の左右反対側になるよう配設され、それぞれの十字ピン部４１０が互いに左右反対方向へ移動するように外側面部６２２のラッチ取付切欠部２２３に保持されている。
なお、対になるラッチ部４００は、それぞれバネ部４３０が保持ピン部４１２の左右反対側になるよう配設されている。
【００７１】
次に、枠部６００の器具本体部５００への取付工程について説明する。
枠部６００の器具本体部５００への取り付けは、枠部６００を器具本体部５００の開口部１２０側に正対させた状態で器具本体部５００へ押し込むことで取り付けられる。
【００７２】
はじめに、枠部６００は、向かい合う傾斜枠部６２０に配設された４つのラッチ部４００の嵌入ピン部４１１が、器具本体部５００の向かい合う取付側面部５１１に形成された４つのスライド切込部１３４に、スライド挿入部１３４ｃから嵌入されるように器具本体部５００に押し込まれる。
枠部６００が器具本体部５００に押し込まれるに従い、嵌入ピン部４１１は平行スライド部１３４ｂまで傾斜スライド部１３４ａを摺動する。
嵌入ピン部４１１は、平行スライド部１３４ｂに達するとバネ部４３０により平行スライド部１３４ｂの他方端部へ押圧されスライド溝部１３４ｄに嵌り込み、枠部６００は器具本体部５００に固定される。
【００７３】
次に、枠部６００の器具本体部５００から取り外し工程に関して説明を行う。
枠部６００の器具本体部５００からの取り外し工程は、取付工程の逆の手順となる。
はじめに、ピン制御部４１１を操作し、バネ部４３０を押圧しながら、嵌入ピン部４１１を傾斜スライド部１３４ａまで移動させる。
嵌入ピン部４１１が傾斜スライド部１３４ａまで移動すると枠部６００と器具本体部５００との固定は解除され、枠部６００を下側へ引き下げることで、枠部２００は器具本体部１００から取り外される。
【００７４】
本実施の形態は、器具本体部５００が向かい合う取付側面部５１１のそれぞれに対になるようにスライド切込部１３４が形成されており、枠部６００が向かい合う傾斜枠部６２０のそれぞれに対になるようにラッチ部４００を備えている事で、枠部６００を器具本体部５００の開口部１２０から正対した状態にて押し込むことで取り付けする事ができる。
【００７５】
また、本実施の形態では、バネ部４３０により十字ピン部４１０それぞれが左右反対方向へ押圧している対になるラッチ部４００を、対向する傾斜枠部６２０の両方に備えている事で、照明器具１０００の両側面で振動に対抗し、器具本体部5００から枠体２０が外れる事を防止することができる。
【００７６】
実施の形態３．
本実施の形態３では、取付側面部にスライド切込部１３４が１つ形成され、外側側面部にはラッチ部４００が１つ配設された形態に関して説明を行う。
なお、実施の形態１と同様の構成は実施の形態１と同じ符号を付し、詳細な説明を省略し異なる構成について説明をする。
図１５は、本実施の形態における照明器具２０００の分解斜視図である。
【００７７】
はじめに、照明器具２０００の各部の構成を説明する。
照明器具２０００は、被取付部（例えば天井など）に当接し固定される器具本体部２１００と、器具本体部２１００に着脱可動に取り付けられている枠部２２００とを備えている。
【００７８】
器具本体部２１００は、被取付部に固定されるとともに、照明器具1の光源となる光源部１０と、光源部１０へ電力を供給し点灯させる電源部２０、端子台３０とを備えている。
また、枠部２２００は電源部２０、端子台３０を覆うように器具本体部２１００に取り付けられている。
【００７９】
器具本体部２１００は、略箱形状をしており、上側に配置され被取付部に取り付けられる上面部１１０と、上面部１１０と対向する下側には一面が開口した開口部１２０と、側面部２１１０とから構成されている。
【００８０】
側面部２１１０は、上面部１１０の周部より開口部１２０方向に形成されている。
また、側面部２１１０の向かい合う二面には、枠部２２００を保持する為のスライド切込部１３４が形成された取付側面部２１１１が配置されている。
【００８１】
スライド切込部１３４は、傾斜スライド部１３４ａと平行スライド部１３４ｂからなり、取付側面部２１１１に１つ形成されている。
また、スライド切込部１３４は、他方の取付側面部２１１１に形成されたスライド切込部１３４に対して、傾斜スライド部１３４ａが互いに逆方向へ向くように配設されている。
【００８２】
枠部２２００は、ロの字形状に形成された外枠部２２１０と、外枠部２２１０のロの字形状内側に配設される反射部２０１と、枠部２２００を器具本体部２１００に固定する為の固定手段とを備えている。
【００８３】
外枠部２２１０は、斜め方向に傾斜した側面を有する傾斜枠部２２２０と、傾斜枠部２２２０に対して略垂直に配置され反射部２０１を保持する横枠部２３０とを備えている。
また、傾斜枠部２２２０と横枠部２３０は、それぞれ対向する位置に、対となる傾斜枠部２２２０と横枠部２３０が配置されロの字形状を形成している
【００８４】
傾斜枠部２２２０は、断面がコの字状に形成されており、枠部２２００の外側に面する外側面部２２２１が形成されている。
また、外側面部２２２１には、枠部２２００を器具本体部２１００に固定する為のラッチ部４００が配設されており、ラッチ部４００を保持する為のラッチ取付切欠部２２３が形成されている。なお、ラッチ取付切欠部２２３は、外側面部２２２１に１つ形成されている。
【００８５】
ラッチ取付切欠部２２３は、外側面部２２２１の上側より下側に垂直に形成された挿込切欠部２２３ａとは挿込切欠部２２３ａの端部より長手方向へ水平に形成された水平切欠部２２３ｂからなる。
また、ラッチ取付切欠部２２３は、水平切欠部２２３ｂが対向する外側面部２２２１に形成されたラッチ取付切欠部２２３の水平切欠部２２３ｂと互いに反対方向へ向くように形成されている。
【００８６】
ラッチ部４００は、器具本体部６００のスライド切込部１３４に嵌入される十字ピン部４１０と、十字ピン部４１０を傾斜枠部２２２０に固定するラッチ保持部４２０と、十字ピン４１０の摺動制御するバネ部４３０と、から構成されている。
なお、対になるラッチ部４００は、それぞれのバネ部４３０が保持ピン部４１２の左右反対側になるよう配設され、それぞれの十字ピン部４１０が互いに左右反対方向へ移動するように外側面部６２２のラッチ取付切欠部２２３に保持されている。
なお、ラッチ部４００は、対向する外側面部２２２１に配設されたラッチ部４００に対して、互いに反対方向へばね部４３０が保持ピン部４１２を押圧するよう配設されている。
【００８７】
次に、枠部２２００の器具本体部２１００への取付工程について説明する。
枠部２２００の器具本体部２１００への取り付けは、枠部２２００を器具本体部２１００の開口部１２０側に正対させた状態で器具本体部２１００へ押し込むことで取り付けられる。
【００８８】
はじめに、枠部２２００は、向かい合う傾斜枠部２２２０に配設された２つのラッチ部４００の嵌入ピン部４１１が、器具本体部２１００の向かい合う取付側面部２１１１に形成された２つのスライド切込部１３４に、スライド挿入部１３４ｃから嵌入されるように器具本体部５００に押し込まれる。
枠部２２００が器具本体部２１００に押し込まれるに従い、嵌入ピン部４１１は平行スライド部１３４ｂまで傾斜スライド部１３４ａを摺動する。
嵌入ピン部４１１は、平行スライド部１３４ｂに達するとバネ部４３０により平行スライド部１３４ｂの他方端部へ押圧されスライド溝部１３４ｄに嵌り込み、枠部２２００は器具本体部２１００に固定される。
なお、枠部２２００の器具本体部２１００から取り外し工程は、取付工程の逆の手順を行うことで枠部２２００は器具本体部２１００から取り外される。
【００８９】
本実施の形態は、器具本体部２１００が向かい合う取付側面部２１１１それぞれがスライド切込部１３４を１つ形成されており、枠部２２００が向かい合う傾斜枠２２２０のそれぞれがラッチ部４００を１つ備えている事で、枠部２２００を器具本体部２１００の開口部１２０から正対した状態にて押し込むことで取り付けする事ができる。
【００９０】
また、本実施の形態では、バネ部４３０が向い合う外側面部２２２２において、十字ピン部４１０それぞれが左右反対方向へ押圧しており、枠部２２００が器具本体部２１００からより振動などにより外れる事を防止することができる。
また、向い合う外側面部２２２に１つ配設することで部品数をおさえコストを抑制することができる。
【００９１】
実施の形態４．
本実施の形態４では、器具本体部がラッチ部４００を備えており、枠部にスライド切込部１３４が形成されている形態に関して説明をおこなう
なお、実施の形態１と同様の構成は実施の形態１と同じ符号を付し、詳細な説明を省略し異なる構成について説明をする。
図１６は、本実施の形態における照明器具３０００の分解斜視図である。
【００９２】
はじめに、照明器具３０００の各部の構成を説明する。
照明器具３０００は、被取付部（例えば天井など）に当接し固定される器具本体部３１００と、器具本体部３１００に着脱可動に取り付けられている枠部３２００とを備えている。
【００９３】
器具本体部３１００は、被取付部に固定されるとともに、照明器具３０００の光源となる光源部１０と、光源部１０へ電力を供給し点灯させる電源部２０、端子台３０とを備えている。
また、枠部３２００は電源部２０、端子台３０を覆うように器具本体部３１００に取り付けられている。
【００９４】
器具本体部３１００は、略箱形状をしており、上側に配置され被取付部に取り付けられる上面部１１０と、上面部１１０と対向する下側には一面が開口した開口部１２０と、側面部３１１０とから構成されている。
【００９５】
側面部３１１０は、上面部１１０の周部より開口部１２０方向に形成されている。
また、側面部３１１０の向かい合う二面には、枠部３２００を保持する為のラッチ部４００が配設された取付側面部３１１１が配置されている。
【００９６】
取付側面部３１１１は、ラッチ部４００を保持する為のラッチ取付切欠部２２３が長手中心を軸として対になるよう対称に２つ形成されており、それぞれにラッチ部４００が対になるよう配設されている。
なお、対になるラッチ部４００は、それぞれバネ部４３０が保持ピン部４１２の左右反対側になるよう配設されている。
【００９７】
枠部３２００は、ロの字形状に形成された外枠部３２１０と、外枠部３２１０のロの字形状内側に配設される反射部２０１とを備えている。
【００９８】
外枠部３２１０は、斜め方向に傾斜した側面を有する傾斜枠部３２２０と、傾斜枠部３２２０に対して略垂直に配置され反射部２０１を保持する横枠部２３０とを備えている。
また、傾斜枠部３２２０と横枠部２３０は、それぞれ対向する位置に、対となる傾斜枠部３２２０と横枠部２３０が配置されロの字形状を形成している
【００９９】
傾斜枠部２２２０は、枠部３２００の外側に面する位置に外側面部３２２１が形成されている。
また、外側面部３２２１には、傾斜スライド部１３４ａと平行スライド部１３４ｂからなるスライド切込部１３４が外側面部３２２１の長手中心を軸として対になるよう対称に２つ形成されている。
【０１００】
次に、枠部３２００の器具本体部３１００への取付工程について説明する。
枠部３２００の器具本体部３１００への取り付けは、枠部３２００を器具本体部３１００の開口部１２０側に正対させた状態で、取付側面部３１１１とピン操作部４１３の間にスライド切込部１３４を挿し込むように器具本体部３０００に押し込む。
枠部３２００が器具本体部３１００に押し込まれるに従い、嵌入ピン部４１１は平行スライド部１３４ｂまで傾斜スライド部１３４ａを摺動する。
嵌入ピン部４１１は、平行スライド部１３４ｂに達するとバネ部４３０により平行スライド部１３４ｂの他方端部へ押圧されスライド溝部１３４ｄに嵌り込み、枠部３２００は器具本体部３１００に固定される。
なお、枠部３２００の器具本体部３１００から取り外し工程は、取付工程の逆の手順で行うことができる。
【０１０１】
本実施の形態は、照明器具３０００は器具本体部３１００が向かい合う取付側面部３１１１のそれぞれに対になるようにラッチ部４００が配設され、枠部３２００が向かい合う外側面部傾斜枠部３２２０のそれぞれにスライド切込部１３４が形成されている形状であり、他の実施の形態と同じような効果を得ることができる。
【０１０２】
なお、実施の形態１から実施の形態４では器具本体部に光源１０、点灯装置２０、端子台３０が備えられている形状に関して説明をしたが、枠部に光源、点灯装置、端子台が配設されている形状でも良い。
【０１０３】
なお、実施の形態１から実施の形態４ではラッチ部４００は、圧縮バネ形状をしたバネ部４３０により加圧し十字ピン部４１０の制御をしているが、引張りバネ形状したバネ部により加圧し制御するものでも良い。
【符号の説明】
【０１０４】
１  照明器具、１０  光源部、２０  点灯装置、３０  端子台、１００  器具本体部、１１０  上面部、１１１  締付孔、１１２  電源引込孔、１２０  開口部、１３０  側面部、１３１  第一の側面部、１３２  第二の側面部、１３３  引掛開口部、１３４  スライド切込部、１３４ａ  傾斜スライド部、１３４ｂ  平行スライド部、１３４ｃ  スライド挿入部、１３４ｄ  スライド溝部、２００  枠部、２０１  反射部、２１０  外枠部、２２０  傾斜枠部、２２０ａ  第一の傾斜枠部、２２０ｂ  第二の傾斜枠部、２２１  傾斜側面部、２２２  外側面部、２２３  ラッチ取付切欠部、２２３ａ  挿込切欠部、２２３ｂ  水平切欠部、２３０  横枠部、３００  挿込爪部、３１０  爪取付面部、３２０  爪傾斜部、３３０  爪引掛部、４００  ラッチ部、４１０  十字ピン部、４１１  嵌入ピン部、４１２  保持ピン部、４１３  ピン操作部、４２０  ピン保持部、４２１  嵌入用長孔部、４２２  ピン保持孔部、４２３  ラッチ取付片部、４３０  バネ部、１０００  照明器具、５００  器具本体部、５１０  側面部、５１１  取付側面部、６００  枠部、６１０  外枠部、６２０  傾斜枠部、６２１  傾斜側面部、６２２  外側面部、２０００  照明器具、２１００  器具本体部、２１１０  側面部、２１１１  取付側面部、２２００  枠部、２２１０  外側面部、２２２０  傾斜枠部、２２２１  外側面部、３０００  照明器具、３１００  器具本体部、３１１０  側面部、３１１１  取付側面部、３２００  枠部、３２１０  外枠部、３２２０  傾斜枠部、３２２１  外側面部。
【図１】
2016085878.tif 000003
【図２】
2016085878.tif 000004
【図３】
2016085878.tif 000005
【図４】
2016085878.tif 000006
【図５】
2016085878.tif 000007
【図６】
2016085878.tif 000008
【図７】
2016085878.tif 000009
【図８】
2016085878.tif 000010
【図９】
2016085878.tif 000011
【図１０】
2016085878.tif 000012
【図１１】
2016085878.tif 000013
【図１２】
2016085878.tif 000014
【図１３】
2016085878.tif 000015
【図１４】
2016085878.tif 000016
【図１５】
2016085878.tif 000017
【図１６】
2016085878.tif 000018